(57)【要約】【課題】光ファイバ一端の折れや曲がりと弾性によるはねや微動を簡単な構造で防止することのできる歯科治療装置を提供する。【解決手段】アタッチメント１１は円柱の長手方向に２個所以上のスリット１１ａとプローブ先端４の外径と係合する内径を備え、アタッチメント１１をプローブ先端４から飛出している光ファイバ５に合わせ任意の位置に固定させる弾性を有したリング形状のファスナバンド１２とを備え、光ファイバ５の一端を保持する。【選択図】図１
2009201558.tif 000002
【特許請求の範囲】
【請求項１】
レーザから発したレーザ光を伝える光ファイバと、前記光ファイバを保護する光ファイバ保護チューブと、操作者が前記光ファイバを操作するために保持するプローブと、前記プローブの先端より飛出した光ファイバの一端を保持するアタッチメントと、前記アタッチメントをプローブ先端の任意の位置に固定させる固定具を備え、前記プローブは前記光ファイバを対象部位に導くために径を細くした先端部を有し、前記アタッチメントは長手方向に複数のスリットを有したことを特徴とする歯科治療装置。
【請求項２】
前記アタッチメントは、前記先端部の外径と係合する内径を備え、前記固定具は前記アタッチメントに勘合する弾性を有したリング形状のバンドであることを特徴とする請求項１記載の歯科治療装置。
【請求項３】
前記先端部の外径におネジと円柱の長手方向に複数のスリットを有したアタッチメントの内径にめネジを設けて螺合させることを特徴とする請求項１記載の歯科治療装置。
【請求項４】
前記先端部の外径のおネジと螺合する内径のめネジを備え、円柱の長手方向に複数のスリットと片側端部外形にテーパーを有したアタッチメントと、前記片側端部外形に対向するように構成した片側端部内形にテーパーと前記先端部の外径のおネジと螺合する内径のめネジを備えたアタッチメント固定具を備えたことを特徴とする請求項1記載の歯科治療装置。
【発明の詳細な説明】
【技術分野】
【０００１】
本発明は歯科治療装置に関するものである。
【背景技術】
【０００２】
従来の歯科治療装置は、図４に示すようにレーザを内臓した歯科治療装置１、光ファイバ保護チューブ２、プローブ３、プローブ先端４、光ファイバ５で構成されており、歯科治療装置１からのレーザを光ファイバ５の一端から口腔内の患部に照射させるものである。このため、歯科治療装置１に接続された光ファイバ５、は光ファイバ保護チューブ２の内部を通して医師が保持するプローブ３の先端部４より飛出しており、この光ファイバ５の一端から患者の口腔内患部にレーザを照射している。
【０００３】
つまり、従来の歯科治療装置においては、光ファイバを口腔内の患部に挿入しレーザを接触照射させる場合は、歯茎や歯間などの細部、あるいは狭い空間部への照射と光ファイバの発熱防止で光ファイバを保持している先端部４より約10mm飛出させ、放熱をしやすくすると共に、狭い空間にも先端部４が届きやすくしている。
【０００４】
このようなレーザを用い光ファイバの先端から口腔内の患部に照射させる歯科治療装置が開示されている。（特許文献１参照）。さらに光ファイバの接続個所における光ファイバの折れや脱落がない固定方法が開示されている（特許文献２参照）。
【特許文献１】特開2007-68976号公報
【特許文献２】特開2006-23689号公報
【発明の開示】
【発明が解決しようとする課題】
【０００５】
しかしながら、従来の光ファイバ５の径は300から600μmと細く折れや曲がりに弱く、また口腔内の表面組織への接触照射時に光ファイバの先端がひっかかることで、光ファイバ５の弾性によるはねや微動が発生し、照射位置を定めにくいために安定して照射することが難しいという問題があった。
【０００６】
本発明は、従来の問題を解決するためになされたもので、光ファイバの折れや曲がりと弾性によるはねや微動を簡単な構造で防止し、照射位置を容易に定めることができることで安定して照射することができる、光ファイバ一端の保持方法を具現化した歯科治療装置を提供することを目的とする。
【課題を解決するための手段】
【０００７】
本発明の歯科治療装置は、レーザから発したレーザ光を伝える光ファイバと、前記光ファイバを保護する光ファイバ保護チューブと、操作者が前記光ファイバを操作するために保持するプローブと、前記プローブの先端より飛出した光ファイバの一端を保持するアタッチメントと、前記アタッチメントをプローブ先端の任意の位置に固定させる固定具を備え、前記プローブは前記光ファイバを対象部位に導くために径を細くした先端部を有し、前記アタッチメントは長手方向に複数のスリットを有した構成である。
【０００８】
この構成により、口腔内の患部に合わせた光ファイバの飛出長さの調整と保持を容易にすることができ、光ファイバの折れや曲がりと弾性によるはねや微動を簡単な構造で防止することができる。
【０００９】
また、本発明の歯科治療装置において、前記アタッチメントは、前記先端部の外径と係合する内径を備え、前記固定具は前記アタッチメントに勘合する弾性を有したリング形状のバンドを備えた構成を有している。
【００１０】
この構成により、口腔内の患部に合わせた光ファイバの飛出長さの調整と保持を容易にすることができ、光ファイバの折れや曲がりと弾性によるはねや微動を簡単な構造で防止することができる。
【００１１】
さらに、本発明の歯科治療装置においては、前記先端部の外径におネジと円柱の長手方向に複数のスリットを有したアタッチメントの内径にめネジを設けて螺合させる構成を有している。
【００１２】
この構成により、口腔内の患部に合わせた光ファイバの飛出長さの調整と保持を容易にすることができ、光ファイバの折れや曲がりと弾性によるはねや微動を簡単な構造で防止することができる。
【００１３】
さらに、本発明の歯科治療装置は、前記先端部の外径のおネジと螺合する内径のめネジを備え、円柱の長手方向に複数のスリットと片側端部外形にテーパーを有したアタッチメントと、前記片側端部外形に対向するように構成した片側端部内形にテーパーと前記先端部の外径のおネジと螺合する内径のめネジを備えたアタッチメント固定具を備えた構成を有している。
【００１４】
この構成により、口腔内の患部に合わせた光ファイバの飛出長さの調整と保持を容易にすることができ、光ファイバの折れや曲がりと弾性によるはねや微動を簡単な構造で防止することができる。
【発明の効果】
【００１５】
本発明は、光ファイバの一端を保持するアタッチメントをプローブの先端部の任意の位置に固定させる固定具を設けることにより、光ファイバの折れや曲がりと弾性によるはねや微動を簡単な構造で防止することで、照射位置を容易に定めることができることで安定して照射することができるという効果を有する歯科治療装置を提供することができるものである。
【発明を実施するための最良の形態】
【００１６】
以下、本発明の実施の形態の歯科治療装置について、図面を用いて説明する。
【００１７】
本発明の第１の実施の形態の歯科治療装置を図１に示す。
【００１８】
図１において、アタッチメント１１は円柱の長手方向に２個所以上の複数のスリット１１ａとプローブの先端部４の外径と係合する内径を備え、アタッチメント１１を先端部４から飛出している光ファイバ５に合わせ任意の位置に固定させる弾性を有したリング形状のバンド１２とを有する構成である。また、アタッチメント１１の直径は、プローブ３の直径の１／２以下に構成している。
【００１９】
以上のように構成された歯科治療装置について、その動作を説明する。
【００２０】
まず、先端部４の外形と係合する内径を備えアタッチメント１１を挿入することで、バンド１２の弾性による押圧とアタッチメント１１のスリット１１ａによる弾性で、アタッチメント１１が先端部４に対して任意の位置で固定することが可能となり、先端部４から飛出している光ファイバ５の長さに合わせ、光ファイバ５がアタッチメント１１から突出する長さ寸法を照射対象にあわせて任意に調整可能とことができる。
【００２１】
このような本発明の第１の実施の形態の歯科治療装置によれば、先端部４の外径と係合する内径を備え、円柱の長手方向に２個所以上のスリット１１ａを有したアタッチメント１１を先端部４から飛出している光ファイバ５に合わせ任意の位置に固定させる弾性を有したリング形状のバンド１２を設けることにより、口腔内の患部に合わせた光ファイバ５の飛出長さの調整と保持を容易にすることができ、光ファイバ５の折れや曲がりと弾性によるはねや微動を簡単な構造で防止することができることで、照射位置を容易に定めることができることで安定して照射することができるという効果を有する。
【００２２】
次に、本発明の第２の実施の形態の歯科治療装置を図２に示す。
【００２３】
図２において、アタッチメント２１は円柱の長手方向に２個所以上のスリット２１ａと先端部４の外径のおネジ４ａと係合する内径のめネジ２１ｂを備え、アタッチメント２１を先端部４の任意の位置に固定させる弾性を有したリング形状のバンド２２とを有する構成である。
【００２４】
以上のように構成された歯科治療装置について、その動作を説明する。
【００２５】
まず、先端部４の外径のおネジ４ａと係合する内径のめネジ２１ｂを備えアタッチメント２１をネジ込みすることで、バンド２２の弾性による押圧とアタッチメント２１のスリット２１ａにより、アタッチメント２１が先端部４から飛出している光ファイバ５に合わせ任意の位置に固定することができる。
【００２６】
このような本発明の第２の実施の形態の歯科治療装置によれば、プローブ先端４の外径のおネジ４ａと係合する内径のめネジ２１ｂを備え、円柱の長手方向に２個所以上のスリット２１ａを有したアタッチメント２１をプローブ先端４の任意の位置に固定させる弾性を有したリング形状のファスナバンド２２を設けることにより、口腔内の患部に合わせた光ファイバ５の飛出長さの調整と保持を容易にすることができ、光ファイバ５の折れや曲がりと弾性によるはねや微動を簡単な構造で防止することができることで、照射位置を容易に定めることができることで安定して照射することができる。
【００２７】
本発明の第３の実施の形態の歯科治療装置を図３に示す。
【００２８】
図３において、アタッチメント３１は円柱の長手方向に２個所以上のスリット３１ａと片側端部外形にテーパー３１ｂを有し、プローブ先端４の外径のおネジ４ａと係合する内径のめネジ３１ｃを備え、アタッチメント３１をプローブ先端４から飛出している光ファイバ５に合わせ任意の位置に固定させる片側端部内形にテーパー３２ｂと先端部４の外径のおネジ４ａと係合する内径のめネジ３２ａを備えたアタッチメント固定具３２とを有する構成である。
【００２９】
以上のように構成された歯科治療装置について、その動作を説明する。
【００３０】
まず、先端部４の外径のおネジ４ａと係合する内径のめネジ３２ａを備えたアタッチメント固定具３２をネジ込み、次にアタッチメント３１をネジ込みの片側端部外形のテーパー３１ｂをアタッチメント固定具３２の片側端部内形にテーパー３２ｂに係合し押圧と、アタッチメント３１のスリット３１ａにより、アタッチメント３１が先端部４から飛出している光ファイバ５に合わせ任意の位置に固定することができる。
【００３１】
このような本発明の第３の実施の形態の歯科治療装置によれば、先端部４の外径のおネジ４ａと係合する内径のめネジ３１ｃを備え、円柱の長手方向に２個所以上のスリット３１ａと片側端部外形にテーパー３１ｂを有したアタッチメント３１を先端部４の任意の位置に固定させる片側端部内形にテーパー３２ｂと先端部４の外径のおネジ４ａと係合する内径のめネジ３２ａを備えたアタッチメント固定具３２とを設けることにより、口腔内の患部に合わせた光ファイバ５の飛出長さの調整と保持を容易にすることができ、光ファイバ５の折れや曲がりと弾性によるはねや微動を簡単な構造で防止することができることで、照射位置を容易に定めることができることで安定して照射することができる。
【００３２】
なお、スリットは、空気の流れによる方熱効果があり、その幅はできるだけ広い方が好ましいが、先端部４に固定する機能が必要なことから、光ファイバ５の直径寸法以上で、かつ、先端部４の直径寸法よりも小さい幅にすることが望ましい。
また、使用後の洗浄、滅菌を考慮した場合、バンド１２はゴム系、樹脂系材料以外に、金属線を用いても良い。ゴム系、樹脂系のバンドであれば、洗浄時、アタッチメントを一旦取り外すことが必要であるが、金属線のバンドであれば、取り外すことなく滅菌することが可能となり、効率的に作業することが可能となる。                    
【産業上の利用可能性】
【００３３】
以上のように、本発明にかかる歯科治療装置は、光ファイバの一端を保持するアタッチメントをプローブ先端の任意の位置に固定させる固定具を設けることにより、光ファイバの折れや曲がりと弾性によるはねや微動を簡単な構造で防止するという効果を有し、歯科治療装置等として有用である。
【図面の簡単な説明】
【００３４】
【図１】（ａ）本発明の第１の実施の形態における歯科治療装置の斜視図（ｂ）本発明の第１の実施の形態における歯科治療装置の断面図
【図２】（ａ）本発明の第２の実施の形態における歯科治療装置の斜視図（ｂ）本発明の第２の実施の形態における歯科治療装置の断面図
【図３】（ａ）本発明の第３の実施の形態における歯科治療装置の斜視図（ｂ）本発明の第３の実施の形態における歯科治療装置の断面図
【図４】従来の歯科治療装置の斜視図
【符号の説明】
【００３５】
１  歯科治療装置
２  光ファイバ保護チューブ
３  プローブ
４  プローブ先端
４ａ  外径のおネジ
５  光ファイバ
１１  アタッチメント
１１ａ  スリット
１２  ファスナバンド
２１  アタッチメント
２１ａ  スリット
２１ｂ  内径のめネジ
２２  ファスナバンド
３１  アタッチメント
３１ａ  スリット
３１ｂ  テーパー
３１ｃ  内径のめネジ
３２  アタッチメント固定具
３２ａ  内径のめネジ
３２ｂ  テーパー
【図１】
2009201558.tif 000003
【図２】
2009201558.tif 000004
【図３】
2009201558.tif 000005
【図４】
2009201558.tif 000006